(57)【特許請求の範囲】
【請求項１】
ヘッドレストから延出されたステーと、
背もたれに設けられたブラケットと、
前記ステーが挿入される挿入孔を有するとともに前記ブラケットに嵌挿されるステーサポートと、
前記ステーサポートの背面と前記ブラケットの内面との間に挟まれたインサート材と、を備え、
前記挿入孔が前記ステーサポートを上下に貫通し、
前記挿入孔の上端開口が円形状に形成され、
前記挿入孔の下端開口が前後に長尺に設けられ、
前記挿入孔の前後方向の直径が前記挿入孔を下から上に向かうにつれて漸減し、
縦断面における前記挿入孔の前側壁面の線が前記挿入孔よりも前側を中心にして湾曲し、縦断面における前記挿入孔の後ろ側壁面の線の曲率半径が前記挿入孔の前側壁面の線の曲率半径よりも大きく、
前記ステーが当該ステーよりも前側を中心にして湾曲し、
前記インサート材が前記ブラケットの内面に圧接し、その反力によって前記挿入孔の後ろ側壁面が前記ステーに圧接し、前記挿入孔の後ろ側壁面と前記ステーとの圧接部分の上及び下において前記ステーの一部が前記挿入孔の前側壁面に圧接する、ヘッドレスト支持構造。
【請求項２】
前記インサート材が前記ステーサポートの背面に凸設されている、請求項１に記載のヘッドレスト支持構造。
【請求項３】
前記インサート材が前記ステーサポートの背面のうちその下端とその上端の間で凸設されている、請求項２に記載のヘッドレスト支持構造。
【請求項４】
前記ステーが前記挿入孔の前側壁面の線に沿って湾曲している、請求項１から３の何れか一項に記載のヘッドレスト支持構造。
【請求項５】
前記挿入孔の後ろ側壁面に凸設された突起を更に備える請求項１から４の何れか一項に記載のヘッドレスト支持構造。
【請求項６】
ヘッドレストと、
座部と、
前記座部から起立する背もたれと、
前記ヘッドレストから延出されたステーと、
前記背もたれに設けられたブラケットと、
前記ステーが挿入される挿入孔を有するとともに前記ブラケットに嵌挿されるステーサポートと、
前記ステーサポートの背面と前記ブラケットの内面との間に挟まれたインサート材と、を備え、
前記挿入孔が前記ステーサポートを上下に貫通し、
前記挿入孔の上端開口が円形状に形成され、
前記挿入孔の下端開口が前後に長尺に設けられ、
前記挿入孔の前後方向の直径が前記挿入孔を下から上に向かうにつれて漸減し、
縦断面における前記挿入孔の前側壁面の線が前記挿入孔よりも前側を中心にして湾曲し、縦断面における前記挿入孔の後ろ側壁面の線の曲率半径が前記挿入孔の前側壁面の線の曲率半径よりも大きく、
前記ステーが当該ステーよりも前側を中心にして湾曲し、
前記インサート材が前記ブラケットの内面に圧接し、その反力によって前記挿入孔の後ろ側壁面が前記ステーに圧接し、前記挿入孔の後ろ側壁面と前記ステーとの圧接部分の上及び下において前記ステーの一部が前記挿入孔の前側壁面に圧接する、シート。
【請求項７】
前記インサート材が前記ステーサポートの背面に凸設されている、請求項６に記載のシート。
【請求項８】
前記インサート材が前記ステーサポートの背面のうちその下端とその上端の間で凸設されている、請求項７に記載のシート。
【請求項９】
前記ステーが前記挿入孔の前側壁面の線に沿って湾曲している、請求項６から８の何れか一項に記載のシート。
【請求項１０】
前記挿入孔の後ろ側壁面に凸設された突起を更に備える、請求項６から９の何れか一項に記載のシート。
【発明の詳細な説明】
【技術分野】
【０００１】
本発明は、ヘッドレスト支持構造及びシートに関し、特にヘッドレストを支持するヘッドレスト支持構造及びその支持構造を利用したシートに関する。
【背景技術】
【０００２】
従来、車両用シートにはヘッドレストが設けられており、乗員が自身の頭部をヘッドレストに支えることができる。ヘッドレストの下端には真直なステーが延出され、一方、背もたれの上端内部には、筒状のステーサポートが取り付けられ、ステーがステーサポートにその上から挿入されている。ステーをステーサポートに沿って上下に移動させることで、ヘッドレストの位置を調整することができ、ステーをステーサポートにロックすることで、ヘッドレストの位置を固定することができる。
【０００３】
ステーをステーサポートにロックする手段として、ステーに溝が形成され、ステーサポートにロック片が設けられ、バネの復元力でロック片がステーの溝に係合されたものがある（例えば、特許文献１参照）。乗員がバネの復元力に反してロック片を押せば、ロック片が溝から外れ、ステーを上下動することができる。
【０００４】
また、ステーに溝を設けずに、ステーをロックする手段もある。例えば、特許文献２に記載されているように、ステーの外径よりも僅かながら小さい内径となる押圧部がステーサポートに設けられ、ステーがステーサポートに挿入されると、ステーによって押圧部が拡径するよう変形し、その反力によってステーが支えられる。
【特許文献１】国際公開第００／１０４３０号
【特許文献２】特許第３４７５３２０号公報
【発明の開示】
【発明が解決しようとする課題】
【０００５】
特許文献１においては、ロック片を押した状態を保たなければ、ステーを移動させることができないので、ヘッドレストの位置調整を簡単に行うことができなかった。一方、特許文献２においては、押圧部からステーに反力が常に作用しているので、ステーの移動には大きな力を必要とし、ヘッドレストの位置調整を簡単に行うことができなかった。
そこで、本発明の課題は、ヘッドレストの位置調整を簡単に行えるようにするとともに、ヘッドレストの位置もしっかり固定できるようにすることである。
【課題を解決するための手段】
【０００６】
以上の課題を解決するため、請求項１に係る発明によれば、ヘッドレストから延出されたステーと、背もたれに設けられたブラケットと、前記ステーが挿入される挿入孔を有するとともに前記ブラケットに嵌挿されるステーサポートと、前記ステーサポートの背面と前記ブラケットの内面との間に挟まれたインサート材と、を備え、前記挿入孔が前記ステーサポートを上下に貫通し、前記挿入孔の上端開口が円形状に形成され、前記挿入孔の下端開口が前後に長尺に設けられ、前記挿入孔の前後方向の直径が前記挿入孔を下から上に向かうにつれて漸減し、縦断面における前記挿入孔の前側壁面の線が前記挿入孔よりも前側を中心にして湾曲し、縦断面における前記挿入孔の後ろ側壁面の線の曲率半径が前記挿入孔の前側壁面の線の曲率半径よりも大きく、前記ステーが当該ステーよりも前側を中心にして湾曲し、前記インサート材が前記ブラケットの内面に圧接し、その反力によって前記挿入孔の後ろ側壁面が前記ステーに圧接し、前記挿入孔の後ろ側壁面と前記ステーとの圧接部分の上及び下において前記ステーの一部が前記挿入孔の前側壁面に圧接する、ヘッドレスト支持構造が提供される。
【０００７】
請求項２に係る発明によれば、前記インサート材が前記ステーサポートの背面に凸設されている、請求項１に記載のヘッドレスト支持構造が提供される。
【０００８】
請求項３に係る発明によれば、前記インサート材が前記ステーサポートの背面のうちその下端とその上端の間で凸設されている、請求項２に記載のヘッドレスト支持構造が提供される。
【００１０】
請求項４に係る発明によれば、前記ステーが前記挿入孔の前側壁面の線に沿って湾曲している、請求項１から３の何れか一項に記載のヘッドレスト支持構造が提供される。
【００１１】
請求項５に係る発明によれば、前記挿入孔の後ろ側壁面に凸設された突起を更に備える請求項１から４の何れか一項に記載のヘッドレスト支持構造が提供される。
【００１２】
請求項６に係る発明によれば、ヘッドレストと、座部と、前記座部から起立する背もたれと、前記ヘッドレストから延出されたステーと、前記背もたれに設けられたブラケットと、前記ステーが挿入される挿入孔を有するとともに前記ブラケットに嵌挿されるステーサポートと、前記ステーサポートの背面と前記ブラケットの内面との間に挟まれたインサート材と、を備え、前記挿入孔が前記ステーサポートを上下に貫通し、前記挿入孔の上端開口が円形状に形成され、前記挿入孔の下端開口が前後に長尺に設けられ、前記挿入孔の前後方向の直径が前記挿入孔を下から上に向かうにつれて漸減し、縦断面における前記挿入孔の前側壁面の線が前記挿入孔よりも前側を中心にして湾曲し、縦断面における前記挿入孔の後ろ側壁面の線の曲率半径が前記挿入孔の前側壁面の線の曲率半径よりも大きく、前記ステーが当該ステーよりも前側を中心にして湾曲し、前記インサート材が前記ブラケットの内面に圧接し、その反力によって前記挿入孔の後ろ側壁面が前記ステーに圧接し、前記挿入孔の後ろ側壁面と前記ステーとの圧接部分の上及び下において前記ステーの一部が前記挿入孔の前側壁面に圧接する、シートが提供される。
【００１３】
請求項７に係る発明によれば、前記インサート材が前記ステーサポートの背面に凸設されている、請求項６に記載のシートが提供される。
請求項８に係る発明によれば、前記インサート材が前記ステーサポートの背面のうちその下端とその上端の間で凸設されている、請求項７に記載のシートが提供される。
請求項９に係る発明によれば、前記ステーが前記挿入孔の前側壁面の線に沿って湾曲している、請求項６から８の何れか一項に記載のシートが提供される。
請求項１０に係る発明によれば、前記挿入孔の後ろ側壁面に凸設された突起を更に備える、請求項６から９の何れか一項に記載のシートが提供される。
【発明の効果】
【００１４】
本発明によれば、ヘッドレストから延出されたステーが挿入孔の前側壁面と後ろ側壁面に圧接され、これによりステーが固定される。特に、ステーサポートの背面と前記ブラケットの内面との間にインサート材によって、挿入孔の後ろ側壁面が広い範囲でステーに圧接するので、ヘッドレストの支持を安定させることができる。
一方、ヘッドレストを掴んでステーの形状又は挿入孔の前側壁面の形状にあわせてステーやヘッドレストを移動させれば、大きな力をかけずとも、ヘッドレストの位置調整を簡単に行うことができる。
【発明を実施するための最良の形態】
【００１５】
以下に、本発明を実施するための好ましい形態について図面を用いて説明する。但し、以下に述べる実施形態には、本発明を実施するために技術的に好ましい種々の限定が付されているが、発明の範囲を以下の実施形態及び図示例に限定するものではない。
【００１６】
図１は、車両用シート１の概略構成を示した斜視図である。
この図に示すように、車両用シート１は、座部２と、座部２の後端部に連結された背もたれ３と、背もたれ３の上部に設けられたヘッドレスト４と、を備える。
【００１７】
座部２は前後位置調整機構部及び高さ調整機構部を介して車両のフロアに連結され、座部２の前後位置が位置調整機構によって調整され、更に座部２の高さが高さ調整機構部によって調整される。なお、このような位置調整機構部や高さ調整機構部としては、従来から公知のものを用いることができる。
【００１８】
座部２は、枠体をクッションで覆ったものであって、乗員の臀部をその下側で受けてその臀部を支持するものである。
【００１９】
座部２の後端部には、リクライニング機構部を介して背もたれ３が連結されている。リクライニング機構は座部２に対して背もたれ３の角度を調整するものであり、リクライニング機構によって背もたれ３が後ろに倒れたり、前に立ち上がったりし、更にリクライニング機構が背もたれ３をロックする。
【００２０】
背もたれ３は、フレーム３１（図２、図３に図示）をクッション３２（図３に図示）で覆ったものであり、乗員の背中をその後方で受けてその背中を支持するものである。
【００２１】
ヘッドレスト４は、パッド部４１（図３に図示）を表皮４２で覆ったものであり、乗員の後頭部をその後方で受けて乗員の頭部を支持するものである。この車両用シート１には、ヘッドレスト４を背もたれ３の上に支持する支持構造が設けられている。
【００２２】
図２〜図３を用いて、ヘッドレスト４の支持構造について説明する。
ヘッドレスト４の支持構造は、ヘッドレスト４から下方に延出した一対のステー５１，５２と、ステー５１を受け入れてステー５１を保持するステーサポート５３と、ステー５２を受け入れてステー５２を保持するステーサポート５４と、ステーサポート５３を保持するブラケット５５と、ステーサポート５４を保持するブラケット５６と、を備える。
【００２３】
ブラケット５５は背もたれ３の内部の上側においてフレーム３１に固定されている。このブラケット５５は角筒状を呈した金属パイプであり、ブラケット５５が上下方向に設けられ、ブラケット５５の一方の開口が上を向き、他方の開口が下を向いている。ブラケット５６はブラケット５５と同様に形成され、ブラケット５６がブラケット５５から所定間隔をおいてフレーム３１に固定されている。
【００２４】
ステーサポート５３は、合成樹脂を筒状に成型したものである。このステーサポート５３は、下部の筒状部６１と、筒状部６１の上端に形成された頭部６２と、筒状部６１の左右側面から前面にかけて凸設された弾性フィン６３〜６５と、を有する。筒状部６１、頭部６２、弾性フィン６３〜６５は合成樹脂により一体成型されたものである。
【００２５】
筒状部６１が上からブラケット５５に挿入され、弾性フィン６３〜６５がブラケット５５の内面に圧接されている。頭部６２の外径が筒状部６１の外径よりも大きく、頭部６２がブラケット５５の上端に引っ掛かっている。一方、筒状部６１の側壁に爪６７が形成され、ブラケット５５の下端に切欠き５７が形成され、爪６７が切欠き５７に引っ掛かっている。
【００２６】
ステーサポート５３がブラケット５５に嵌挿された状態では、筒状部６１が背もたれ３の内部に設けられ、頭部６２の一部が背もたれ３の上端面において露出している。
【００２７】
図４は、ステーサポート５３の上面の端面図であり、図５は、ステーサポート５３の下面の端面図であり、図６は、図４に示されたVI−VIに沿った縦断面における矢視断面図である。なお、図６は、ステーサポート５３がブラケット５５から外れた状態における図面である。
【００２８】
ステーサポート５３にはその全長にわたって挿入孔６６が形成されている。つまり、挿入孔６６は、頭部６２の上端面から筒状部６１の下端にかけて貫通している。挿入孔６６の上端開口６６Ａはほぼ円形状を呈しており、挿入孔６６の下端開口６６Ｂは前後に長尺な長円状を呈しており、挿入孔６６の前後方向の直径（長径）は上から下に向かって漸増し、左右方向の直径（短径）は上から下にかけて一様である。
【００２９】
図６に示すように、ステーサポート５３がブラケット５５から外れた状態では、縦断面における挿入孔６６の後ろ側壁面の線６６Ｃは湾曲しておらず、一直線状である。この挿入孔６６の後ろ側壁面の線６６Ｃは、挿入孔６６の上端開口６６Ａの中心を通った中心線６６Ｅに平行である。一方、縦断面における挿入孔６６の前側壁面の線６６Ｄは弓なり状に湾曲し、その線６６Ｄの曲率中心Ｏが挿入孔６６よりも前にある。なお、挿入孔６６の後ろ側壁面の線６６Ｃが弓なり状に湾曲し、その曲率中心が挿入孔６６よりも前にあってもよいが、その場合、挿入孔６６の後ろ側壁面の線６６Ｃの曲率半径が前側壁面の線６６Ｄの曲率半径よりも大きい必要がある。そして、挿入孔６６の後ろ側壁面の線６６Ｃの曲率半径が無限大である場合には、線６６Ｃの曲率半径が挿入孔６６の前側壁面の線６６Ｄの曲率半径よりも大きく、上記したように線６６Ｃが直線状ということになる。
【００３０】
図７は、ステーサポート５３がブラケット５５から外れた状態においてステーサポート５３を示した下面図である。この図７においては、挿入孔６６の後ろ側壁面が図示されるように、中心線６６Ｅは紙面に対して垂直ではなく、僅かながら紙面の垂直方向に対して傾いて図示されている。図７に示すように、ステーサポート５３がブラケット５５から外れた状態では、挿入孔６６の後ろ側壁面は円柱面となっているのではなく、挿入孔６６の後ろ側壁面の一部が平坦面６６Ｇとなっている。この平坦面６６Ｇは、挿入孔６６の上端開口６６Ａから下端開口６６Ｂにかけて帯状になっている。
【００３１】
図６に示すように、ステーサポート５３の背面に、具体的には筒状部６１の背面に、突起６８が凸設されている。この突起６８は、筒状部６１の背面に対して垂直に設けられたリブである。突起６８が形成される位置は、ステーサポート５３の背面のうちその下端とその上端の間であり、具体的には上下方向におけるステーサポート５３の中間部である。この突起６８、ステーサポート５３は合成樹脂により一体成型されたものである。なお、突起６８は、ステーサポート５３とは別体成型されたものであって、成型後にステーサポート５３に取り付けられたものでもよい。
【００３２】
図６に示すように、ステー５１がステーサポート５３の挿入孔６６に挿入されている。ステー５１は挿入孔６６の前側壁面の線６６Ｄに沿うよう弓なり状に湾曲し、ステー５１の曲率中心がステー５１よりも前側にある。このステー５１は、下端部を除いて上から下にかけて径が一様の真直状円形パイプを湾曲させたものである。なお、ステー５１がパイプ状であるが、空洞の無い柱状であってもよい。
【００３３】
ステー５１が湾曲し、挿入孔６６が上述のような形状に形成されているので、ステーサポート５３がブラケット５５から外れた状態ではステー５１が三点で支持される。即ち、図６に示すように、挿入孔６６の上部においてステー５１が挿入孔６６の前側壁面に圧接し（αで示す部分）、それよりも下方においてステー５１が挿入孔６６の後ろ側壁面に圧接し（βで示す部分）、更にそれよりも下方においてステー５１が挿入孔６６の前側壁面に圧接している（γで示す部分）。
【００３４】
図８、図９は、ステーサポート５３がブラケット５５に嵌挿され且つステーサポート５３にステー５１が挿入された状態における縦断面図である。図８、図９に示すように、ステーサポート５３がブラケット５５に嵌挿された状態では、突起６８がブラケット５５とステーサポート５３の背面との間に挟持される。つまり、突起６８はインサート材に相当する。そして、この突起６８がブラケット５５の内面後ろ側に圧接しており、その反力によってステーサポート５３の挿入孔６６の後ろ側壁面（６６Ｇ）が変形する。つまり、挿入孔６６の後ろ側壁面が挿入孔６６の内側に弓なり状に湾曲し、挿入孔６６の後ろ側壁面がステー５１に沿った形状となる。従って、ステー５１の後ろ側はβで示された部分だけでなく、挿入孔６６の後ろ側壁面の広い範囲に圧接する。なお、図８及び図９は図４に示されたVI−VIに沿った縦断面における縦断面図であり、図９は突起６８及びその周辺を拡大して図示したものである。
【００３５】
ステーサポート５４はステーサポート５３と同様に設けられ、突起６８と同様の突起がステーサポート５４の背面に凸設されている。ステー５２もステーサポート５４の挿入孔６６に挿入され、ステーサポート５３がブラケット５５に嵌挿されるのと同様にステーサポート５４がブラケット５６に嵌挿されている。ステー５２がステー５１と同様に湾曲し、ステーサポート５４にも突起が形成されているから、ステーサポート５４の挿入孔６６の後ろ側壁面が広い範囲でステー５１の後ろ側に圧接する。図２において、ステーサポート５３とステーサポート５４との間で互いに対応する構成要素に同一の符号を付し、ブラケット５５とブラケット５６との間で互いに対応する構成要素に同一の符号を付し、ステーサポート５４及びブラケット５６の詳細な説明を省略する。
【００３６】
以上のように、ステー５１，５２が前側の二点に加えて、後ろ側の広い範囲で支持されているため、ステー５１，５２ががたつくことなく、ヘッドレスト４の位置がしっかり固定される。特に、乗員の後頭部がヘッドレスト４にもたれかかったときには、ステー５１，５２が拘束され、ヘッドレスト４ががたつかずに固定される。ステー５１，５２ががたつかないので、振動による雑音も最小限に抑えられている。
【００３７】
また、ヘッドレスト４の上下位置を調整する際には、ヘッドレスト４を上に引いたり下に押したりすることで、ステー５１，５２を抜く方向又は差し込む方向に簡単に移動させることができる。つまり、ヘッドレスト４を掴んでステー５１，５２の湾曲形状に沿ってヘッドレスト４を移動させるだけで、弱い力でヘッドレスト４の位置調整を行える上、ヘッドレスト４の位置を決めたら、ヘッドレスト４を離しても、ヘッドレスト４の位置がしっかり固定される。このように操作性とがたつき防止の両立を図ることができる。
【００３８】
また、ステー５１，５２の湾曲形状、挿入孔６６の後ろ側壁面の平坦面６６Ｇ、又は、突起６８の突出高さを微調整するだけで、ステー５１，５２と挿入孔６６の後ろ側壁面の当たり具合を容易に調整でき、がたつき防止と操作性を最適な状態にすることができる。
【００３９】
上記実施形態では、図７に示すように、挿入孔６６の後ろ側壁面の一部が平坦面６６Ｇとなっていたが、図１０に示すように、この平坦面６６Ｇに第二突起６９を設けてもよい。上下方向における第二突起６９の位置は上下方向における突起６８の位置と同じであり、第二突起６９の設置位置はステーサポート５３の後ろ側の壁を挟んで突起６８の反対側である。第二突起６９が設けられていることによって、突起６８によって挿入孔６６の後ろ側壁面が変形した場合に第二突起６９がステー５１に圧接する。これにより、ヘッドレスト４のがたつきを更に効果的に防止することができる。また、第二突起６９の高さを調節することで、ヘッドレスト４の上下位置を調整する際の操作荷重、がたつき、雑音を微調整することができる。
【００４０】
なお、本発明を適用可能な実施形態は、上述した実施形態に限定されることなく、本発明の趣旨を逸脱しない範囲で適宜変更可能である。
例えば、上記実施形態では本発明に係るシートを自動車の車両用シートに適用した場合について説明したが、他の乗物（例えば、航空機、船舶等）のシートに適用してもよい。また、本発明に係るシートを乗物以外に用いてもよい。
また、上記実施形態では、突起６８がステーサポート５３と一体になったものであるが、突起６３の代わりに、ステーサポート５３ともブラケット５５とも別体であり、単にステーサポート５３の背面とブラケット５５の内面後ろ側との間に挟まれた部材であってもよい。
【図面の簡単な説明】
【００４１】
【図１】本発明を適用した車両用シートを示した斜視図である。
【図２】本発明を適用したヘッドレストの支持構造を分解して示した斜視図である。
【図３】上記車両用シートの背もたれの上部、ヘッドレスト及びその支持構造を示した縦断面図である。
【図４】上記車両用シートの背もたれに取り付けられるステーサポートの上面を示した端面図である。
【図５】上記ステーサポートの下面を示した端面図である。
【図６】上記ステーサポート等を示した縦断面である。
【図７】上記ステーサポートを示した下面図である。
【図８】上記ステーサポート、ブラケット及びステーを示した縦断面図である。
【図９】図８において要部を拡大図示した図面である。
【図１０】変形例において図９に対応する要部を示した図面である。
【符号の説明】
【００４２】
１  車両用シート
２  座部
３  背もたれ
４  ヘッドレスト
５１、５２  ステー
５３、５４  ステーサポート
５５、５６  ブラケット
６６  挿入孔
６８  突起
６９  第二突起
【図１】
0005410668.tif 000002
【図２】
0005410668.tif 000003
【図３】
0005410668.tif 000004
【図４】
0005410668.tif 000005
【図５】
0005410668.tif 000006
【図６】
0005410668.tif 000007
【図７】
0005410668.tif 000008
【図８】
0005410668.tif 000009
【図９】
0005410668.tif 000010
【図１０】
0005410668.tif 000011